(57)【要約】【課題】  従来のような空冷による冷却では、現状の大きさや重量等を変更することなく、雨水を利用して水の気化熱により筐体の表面温度を下げる屋外設置型の筐体の冷却構造を提供する。【解決手段】  屋外に設置される屋外設置型筐体と、雨水を集める雨水受けと、集めた雨水を溜めるろ過器付タンク３と、このろ過器付タンク３に溜めた雨水を前記屋外設置型筐体に散水する散水機２とからなり、雨水受けは、屋外設置型筐体の側面周囲に配置し、散水機２は、屋外設置型筐体の上部から散水する。これにより、水の気化熱により筐体の表面温度を下げることができ、また、従来のように日除け部材を必要としないため、屋外設置型筐体の外形寸法を小さくすることができる。【選択図】      図１
2005072439.tif 000002
【特許請求の範囲】
【請求項１】
屋外に設置される屋外設置型筐体と、雨水を集める雨水受けと、集めた雨水を溜めるタンクと、このタンクに溜めた雨水を前記屋外設置型筐体に散水する散水手段とからなることを特徴とする筐体の冷却構造。
【請求項２】
雨水受けは、屋外設置型筐体の側面周囲に配置することを特徴とする請求項１記載の筐体の冷却構造。
【請求項３】
散水手段は、屋外設置型筐体の上部から散水することを特徴とする請求項１記載の筐体の冷却構造。
【請求項４】
タンクには、雨水をろ過するためのろ過手段を備えることを特徴とする請求項１記載の筐体の冷却構造。
【請求項５】
請求項１記載の筐体の冷却構造において、集めた雨水を溜めるタンクを屋外設置型筐体より上方に配設し、かつ、集めた雨水を前記タンクに送水するポンプを備えることを特徴とする筐体の冷却構造。
【請求項６】
散水手段は、屋外設置型筐体の上部に設けられ、かつ水平に回転して雨水を飛散する羽根車を有することを特徴とする請求項５記載の筐体の冷却構造。
【発明の詳細な説明】
【技術分野】
【０００１】
本発明は屋外設置型筐体に関し、特に通信機用屋外設置型筐体の冷却構造に関する。
【背景技術】
【０００２】
従来の屋外設置型筐体は、発熱に対する冷却方法としては、空冷による冷却が主流であって、例えば、図９に示すように日除け付屋外筐体１４からなっている。
【０００３】
また、別の従来の一例について図１０を参照して説明する。本例では、天板１５に通風口１６を設けることにより、熱１７を持った空気の外部への放出が円滑になり、冷却効率が向上する。また、日射の大半を日射遮蔽板１８で吸収し、通風口１６からの進入についても傾斜板１９の対称配置による半減と傾斜角による高気温時間帯での遮蔽により、電子部品２０の温度上昇への影響を微量に抑える。さらに、筐体２１表面の接合部で防水パッキン２２の傷等により防水性が完全でない場合でも、降雨時、水滴２３の大半が傾斜板１９とＬ字形板２４とで囲まれた溝上の空間に溜まり、日射遮蔽板１８の側面板経由で筐体より下側にしたたり落ちるので、水滴がほとんど筐体２１に当たらず、防水性の品質が向上するというものである（例えば、特開平１１１−２２０２８０号公報を参照。）。
【０００４】
【特許文献１】特開平１１−２２０２８０号公報
【発明の開示】
【発明が解決しようとする課題】
【０００５】
しかしながら、最近の通信機用屋外筐体の消費電力が多くなったため、従来のような空冷による冷却では、現状の大きさや重量等を変更することなく冷却を行うことに限界がきている。
【０００６】
本発明の目的は、かかる課題に鑑みてなされたもので、雨水を利用することとし、それを筐体外面全体に撒くことで、水の気化熱により筐体の表面温度を下げる屋外設置型の筐体の冷却構造を提供することにある。
【課題を解決するための手段】
【０００７】
本発明は、屋外に設置される屋外設置型筐体と、雨水を集める雨水受けと、集めた雨水を溜めるタンクと、このタンクに溜めた雨水を前記屋外設置型筐体に散水する散水手段とからなることを特徴とする。そして、雨水受けは、屋外設置型筐体の側面周囲に配置することを特徴し、散水手段は、屋外設置型筐体の上部から散水することを特徴とする。また、タンクには、雨水をろ過するためのろ過手段を備えることを特徴とする。
【０００８】
上記の冷却構造において、集めた雨水を溜めるタンクを屋外設置型筐体より上方に配設し、かつ、集めた雨水を前記タンクに送水するポンプを備えることを特徴とする。この散水手段は、屋外設置型筐体の上部に設けられ、かつ水平に回転して雨水を飛散する羽根車を有することを特徴とする。
【発明の効果】
【０００９】
以上説明したように本発明によれば、水の気化熱により筐体の表面温度を下げることができる。また、日除け部材を必要としないため、屋外設置型筐体の外形寸法を小さくすることができ、小型化・軽量化がはかれるという効果がある。
【発明を実施するための最良の形態】
【００１０】
次に、本発明について図面を参照して説明する。
【００１１】
本発明の実施例を図１、図２および図３を参照して説明する。図１は、本発明の一実施の形態を示す斜視図であり、図２は、図１の詳細を示す部分斜視図である。そして、図３は、図１の散水機を示す斜視図である。
【００１２】
本発明は、図１に示すように、通信機用の日除け無し屋外筐体１（以下、屋外筐体１という）と、水を撒く散水機２と、冷却のための雨水を貯蔵するろ過器付タンク３とから成っている。散水機２は、屋外筐体１の天面部に、そして、ろ過付タンク３は屋外筐体１の下側にそれぞれ配置され、屋外筐体１の天面より雨水（冷却水）を散布する構成となっている。
【００１３】
また、屋外筐体１の底面部周囲には、図２に示すように樋４が配設されている。これは、降雨時の雨水もしくは屋外筐体１の天面より散水した雨水が一ヶ所に集めるためのもので、屋外筐体１の各辺に傾斜を設けた雨水の収集口５を備えている。
【００１４】
屋外筐体１の天面部に設置されている散水機２は、図３に示すように、給水口６と散水口７が設けられ、さらに、ろ過付タンク３は、図４および図５に示すように、給水口９と排水口１０とを備え、内部には給水口９から収集した雨水に含まれるゴミ等を削除する不織繊維等で壁を形成したろ過手段と（図示せず）と、ろ過付タンク３内に貯蔵されたろ過した雨水を汲み上げて排水口１０から散水機２の給水口６に送水する小型ポンプ８を備えている。
【００１５】
次に、本発明の実施の形態の動作について図面を参照して説明する。
【００１６】
本発明の動作は、ろ過付タンク３に雨水を溜める構造を屋外筐体１の底面部側面に設け、降雨時には一箇所に雨水が流れるように配置することで、雨水を溜めるものであって、例えば、夏季の日中などで屋外筐体内１の温度が上昇した時には、ろ過付タンク３に溜めた雨水を屋外筐体１の天面部から散水する。
【００１７】
これにより、水の気化熱を利用し、屋外筐体１の表面温度を下げることで、屋外筐体の内部温度を低く押さえることができる。また、本発明の冷却構造では水の循環を行う構造であるため、水の再利用が行えるという利点がある。
【００１８】
次に、他の実施の形態について説明する。本実施例は、図６および図８に示すように、ろ過器付タンク１３を日除け無し屋外筐体１１より上部に配置することで、タンク側の給水口９ａの内部に小型ポンプ（図示せず）を内蔵させることで、タンク内の水を吸上げ、その位置エネルギーにより水を散水機１２に供給し、日除け無し屋外筐体１１に水を撒くという構成である。
【００１９】
また、散水機１２の内部には、図７に示すように、水車（羽根車）１２ａを設けることにより、上部に配置されたろ過器付タンク１３の排水口１０ａからの水の力で水車１２ａが回転する。これにより、水が飛散して日除け無し屋外筐体１１の各面に流れ落ち、冷却を行うことができる。
【産業上の利用可能性】
【００２０】
雨水をろ過付タンクに蓄えることにより、屋外に設置された機器筐体等の冷却に利用できる。
【図面の簡単な説明】
【００２１】
【図１】本発明の一実施の形態を示す斜視図である。
【図２】図１の詳細を示す部分斜視図である。
【図３】図１の散水機を示す斜視図である。
【図４】図３の内部の構成を示す斜視図である。
【図５】図１のろ過付タンクを示す斜視図である。
【図６】本発明の他の実施の形態を示す図である。
【図７】図６の散水機の内部の構成を示す斜視図である。
【図８】図６のろ過付タンクを示す斜視図である。
【図９】従来例を示す図である。
【図１０】別の従来例を示す図である。
【符号の説明】
【００２２】
１，１１    日除け無し屋外筐体
２，１２    散水機
３，１３    ろ過器付タンク
４    樋
５    雨水の収集口
６    給水口
７    散水口
８    小型ポンプ
９，９ａ    給水口
１０，１０ａ    排水口
１２ａ    水車
１４    日除け付屋外筐体
１５    天板
１６    通風口
１７    熱
１８    日射遮蔽板
１９    傾斜板
２０    電子部品
２１    筐体
２２    防水パッキン
２３    水滴
２４    Ｌ字形板
【図１】
2005072439.tif 000003
【図２】
2005072439.tif 000004
【図３】
2005072439.tif 000005
【図４】
2005072439.tif 000006
【図５】
2005072439.tif 000007
【図６】
2005072439.tif 000008
【図７】
2005072439.tif 000009
【図８】
2005072439.tif 000010
【図９】
2005072439.tif 000011
【図１０】
2005072439.tif 000012